(57)【要約】【課題】主脚１に輪結した踏み板３を支持脚２の横架材２ｃに咬合させて作業面に正対する踏み面を形成し、且つ踏み台の設置面に傾斜や段差があっても踏み面の水平度を維持する三脚踏み台を提供する。【解決手段】回転アームの一端を主脚１に輪結して、他端に輪結した踏み板３を主脚１の開脚に同調しながら支持脚２に向かって倒し、支持脚の上部に設置の横架材２ｃに咬合させて作業面に正対した踏み面を形成する。また踏み板３の形状を凹形として、支持脚２の上部に枢着の主脚１を開脚することにより凹の深部３ｂに抱き込み、回転アーム４と咬合部の位置固定されることから、脚の開き止めと、抱き込みの拘束により踏み板の回転防止を図る。且つ踏み台の設置面に傾斜や段差があっても、主脚に内包の伸縮脚１ｂを伸縮して踏み板面の水平度を維持する。【選択図】図１
2013181387.tif 000002
【特許請求の範囲】
【請求項１】
主脚を、支持脚上部に設置の、横架材の中央部分に枢着してなる折畳み式三脚踏み台において、回転アームの一端を主脚に輪結して、他端に輪結した踏み板を主脚の開脚に同調しながら支持脚に向かって倒し、支持脚に設置の横架材に咬合金具にて咬合させて作業面に正対した踏み面を形成することを特徴とする。
【請求項２】
請求項１において、踏み板の形状を凹形として、支持脚の横架材に枢着の主脚が開脚することにより凹の深部に抱き込まれて、回転アームと咬合部の位置固定されることから、脚の開き止めと、抱き込みの拘束により踏み板の回転防止を図ることを特徴とする。
【発明の詳細な説明】
【技術分野】
【０００１】本発明は、主脚に輪結した踏み板を支持脚の横架材に咬合させて作業面に正対する踏み面を形成し、且つ踏み台の設置面に傾斜や段差があっても踏み面の水平度を維持して使用できる折畳み式三脚踏み台に関する。
【背景技術】
【０００２】特に記載すべき先行技術文献はない。類型となる脚立には脚の伸縮により傾きを調整するものは見られる。
【特許文献】  特開２００７−２４０６号広報
【発明の概要】
【発明が解決しようとする課題】
【０００３】類型となる三脚脚立では、踏み板は梯子体に設置され、１本の棒状脚体は梯子体を支え姿勢を保つ支柱としている。このため踏み面は昇段するほど作業面から離れてしまう。脚立を転回して用いても支柱が斜行していることから同様の状況となる。また梯子体を作業面に近接させて梯子体に向いて昇段すると作業面と姿勢が背離する。【０００４】開閉可能に枢着された梯子体と支柱は所定の位置での開き止めや回転を防止する装置の付加を要する。【０００５】四脚や面板脚の踏み台は設置面に傾斜や段差があると、踏み面が斜めになり上に載るとバランスを崩したり滑落の危険がある。
【課題を解決するための手段】
【０００６】主脚を、支持脚上部に設置の、横架材の中央部分に枢着してなる折畳み式三脚踏み台において、回転アームの一端を主脚に輪結して、他端に輪結した踏み板を主脚の開脚に同調しながら支持脚に向かって倒し、支持脚に設置の横架材に咬合金具にて咬合させて作業面に正対した踏み面を形成することを特徴とする。【０００７】前記の踏み板の形状を凹形として、支持脚の上部に枢着の主脚が開脚することにより凹の深部に抱き込まれて、回転アームと咬合部の位置固定されることから、脚の開き止めと、抱き込みの拘束により踏み板の回転防止を図ることを特徴とする。【０００８】前記の踏み板は、回転アーム端と支持脚横架材及び主脚に設置の受板の三点にて上載荷重を支持する。その応力の合力線は受板辺りとなることから、支持脚の接地支点に対して正のモーメントを生じて、接地桿で接地面を押えることにより傾斜があっても踏み板面の安定と水平度を維持する。【０００９】主脚を、支持脚上部に設置の、横架材の中央部分に枢着してなる折畳み式三脚踏み台において、踏み台の設置面に傾斜や段差があっても、主脚に内包の伸縮脚を伸縮して踏み板面の水平度を維持する。さらに伸縮脚の先端部には接地桿を横設して、その長さからなる幅の接地抵抗により左右の転倒防止を図る。
【発明の効果】
【００１０】本発明の折畳み式三脚踏み台を使用する際に、踏み板を作業面に向かって倒し略垂立の支持脚の横架材に咬合金具で咬合させて、背離せず正対した踏み面を形成する。また踏み台の設置面に傾斜や段差があっても、主脚に内包の伸縮脚を伸縮して水平度を維持する。さらに主脚と支持脚は上部にて枢着されていることから、閉脚して折畳み運搬が出来る。
【発明を実施するための形態】
【００１１】本発明は、踏み板を回転アームに輪結して先端部に接地桿を横設した伸縮脚を内包する主脚と、枠の左右下部が接地する支持脚を、支持脚の上部に設置の横架材に枢着してなる折畳み式三脚踏み台であり、以下に添付図の符号を付して説明する。
【００１２】主脚１を構成するのは、支持脚２の上部に設置の横架材２ｂに枢着して、回転アーム４を介し踏み板３を輪結した中空の外管と、その中空内に水平を基点として、図３に示すように階段の略一段程度の、±寸法θを軸長方向に稼動する中空の伸縮脚１ｂからなり、伸縮脚１ｂの一面には上記の稼動域に図４の挿ピン８用の穴開け９を、適間隔に開け主脚１の下部に設置の挿ピン器具７の挿ピン８と、踏み台が水準調整となる穴開けとの一致孔に挿ピン８を挿入して係止する。
【００１３】伸縮脚１ｂの先端部には接地桿１ｃを横設して、略支持脚幅の長さからなる幅の接地抵抗により左右の転倒防止を図る。
【００１４】図４に示すように、支持脚２は脚の左右下部を接地した左右対となる屈曲枠材からなり、主脚を枢着させる枢着横架材２ｂと、踏み板を咬合させる咬合横架材２ｃ、及び枠の開き止めの補強横架材２ｄを横設して脚体をなす。
【００１５】図２に示すように、踏み板３は回転アーム４の一端に輪結して、他端を主脚に輪結した踏み板３を、主脚１の開脚に同調しながら支持脚２に向かって倒し、図２、図５に示すように支持脚２の上部に設置の横架材２ａに咬合金具５にて咬合させて作業面に正対した踏み面３を形成する。
【００１６】図５に示すように、踏み板３の形状は凹形として支持脚２の上部に枢着の主脚１が開脚することにより凹の深部３ｂに抱き込まれ、回転アーム４と咬合部からなる位置固定により脚の開き止めと、抱き込みの拘束により踏み板３の回転防止を図る。
【００１７】踏み板３の踏み面には、防滑のための塗装や凸凹紋様あるいは貼り物を施したり、上載位置の目安となる足形紋様を表示する等により安全を図る。
【００１８】図６の咬合金具５拡大図に示すように、踏み板３の横面の適位置に台板５ｂを螺子５ｆ止めして取り付け、踏み板３を横架材２ｃに押圧することにより咬合板５ｃ、５ｄの咬合部分が押開かれ、横架材２ｃを咬み込み、線形バネ５ｈの反力作用で咬みながら咬合する。また咬合板５ｃには線形バネ５ｈの作用を開放するための押板５ｅを設けて押し開き、横架材２ｃとの咬合を開放する。
【００１９】図７に示すように、本発明の踏み台は、横架材２ｃに咬合している踏み板３を開放して回転アーム４を回転しながら主脚１に折寄せて、さらに主脚１を支持脚２に折寄せることにより、三脚踏み台を折畳めることから運搬や収納が容易となる。
【００２０】踏み台の基準では踏み板面の垂直高さは８０ｃｍ以下であるが、８０ｃｍは一度の踏み上がりでは困難であるために、踏み上がり用の中段踏み板１０を設置する事例を図８に示す。本発明の三脚踏み台の踏み板３と接地面の高さの中間部に本発明の踏み板３を主脚１に輪結して中段踏み板１０を構成するものであり、踏み板３の横面と中段踏み板１０の横面に支持金物１１を枢着して中段踏み板１０の支持と開閉作動を連動する。
【００２１】本発明の踏み台の使用材料は鋼材や樹脂材等を用いる。また各部材の材型は角型や丸型としてよい。
【産業上の利用分野】
【００２２】本発明は、主脚に輪結した踏み板を支持脚の横架材に咬合させて作業面に正対する踏み面を形成し、且つ踏み台の設置面に傾斜や段差があっても伸縮脚の伸縮により踏み面の水平度を維持して使用できる折畳み式三脚踏み台に関する。
【図面の簡単な説明】
【図１】本発明の使用における斜視模式図。
【図２】同実施例の左横面図。
【図３】同実施例の右横面図。
【図４】同実施例の正面図。
【図５】同実施例の見下げ平面図。
【図６】同実施例の咬合金具拡大図。
【図７】同実施例の折畳み横面図。
【図８】同実施例の用法事例図。
【符号の説明】１  …主脚              ５  …咬合金具        ６  …受板
１ｂ…伸縮脚            ５ｂ…台板            ７  …挿しピン具
１ｃ…接地桿            ５ｃ…咬合板（右）    ８  …挿しピン
２  …支持脚            ５ｄ…咬合板（左）    ９  …挿しピン用穴開け
２ｂ…枢着横架材        ５ｅ…押し板          １０…中段踏み板
２ｃ…咬合横架材        ５ｆ…螺子            １１…支持金具
２ｄ…補強横架材        ５ｇ…絞ピン
３  …踏み板            ５ｈ…線型バネ
３ｂ…凹の深部
４  …回転アーム
【図１】
2013181387.tif 000003
【図２】
2013181387.tif 000004
【図３】
2013181387.tif 000005
【図４】
2013181387.tif 000006
【図５】
2013181387.tif 000007
【図６】
2013181387.tif 000008
【図７】
2013181387.tif 000009
【図８】
2013181387.tif 000010